(57)【要約】【課題】  スライダの浮上量が１０ｎｍ以下でもデータの記録再生を良好に行うとともに、データのシーク時にスライダの浮上安定性を確保工夫が施された磁気ディスク装置を提供する。【解決手段】  上記目的を達成する本発明の磁気ディスク装置１００は、スライダ７が、電圧の印加を受けて上記磁気ディスク１に対向する浮上面の形状を変化させることにより浮上量を変化させる圧電素子からなり、スライダ７への印加電圧を制御してそのスライダを所定のアクセス位置に移動させるシーク時とそのアクセス位置でデータのアクセスを行うアクセス時とで浮上量を変化させる浮上量制御部３０３とを備えたことを特徴とする。【選択図】        図２
2007213626.tif 000002
【特許請求の範囲】
【請求項１】
磁気ヘッド素子部が固定されたスライダを、回転する磁気ディスク上に浮上させて所定のアクセス位置に移動させ該アクセス位置でデータのアクセスを行う磁気ディスク装置において、
前記スライダが、電圧の印加を受けて前記磁気ディスクに対向する浮上面の形状を変化させることにより浮上量を変化させる圧電素子からなり、
前記スライダへの印加電圧を制御して、該スライダを所定のアクセス位置に移動させるシーク時と該アクセス位置でデータのアクセスを行うアクセス時とで浮上量を変化させる浮上量制御部とを備えたことを特徴とする磁気ディスク装置。
【請求項２】
磁気ヘッド素子部が固定されたスライダを回転する磁気ディスク上に浮上させて所定のアクセス位置に移動させ該アクセス位置でデータのアクセスを行う磁気ディスク装置において、
前記スライダは、前記磁気ディスクに対向する浮上面に、前記磁気ディスクの回転によって生じる空気流の方向に延びるレールを有し、
前記レールが、電圧の印加を受けて形状が変化することにより浮上量を変化させる圧電素子からなり、
前記レールへの印加電圧を制御して、前記スライダを所定のアクセス位置に移動させるシーク時と該アクセス位置でデータのアクセスを行うアクセス時とで浮上量を変化させる浮上量制御部とを備えたことを特徴とする磁気ディスク装置。
【請求項３】
磁気ヘッド素子部が固定されたスライダを回転する磁気ディスク上に浮上させて所定のアクセス位置に移動させ該アクセス位置でデータのアクセスを行う磁気ディスク装置において、
前記スライダが、サスペンションによって支持されたものであって、
前記サスペンションと前記スライダとの間に介在した支持部に印加する電圧に応じて該サスペンションが該スライダを支持する荷重を調整することにより該スライダの浮上量を変化させる浮上量制御部とを備えたことを特徴とする磁気ディスク装置。
【請求項４】
磁気ヘッド素子部が固定されたスライダを回転する磁気ディスク上に浮上させて所定のアクセス位置に移動させ該アクセス位置でデータのアクセスを行う磁気ディスク装置において、
前記スライダが、熱膨張係数の異なる異種の材料の貼り合わせからなり、熱膨張で前記磁気ディスクの対向する面の形状を変化させることにより浮上量を変化させるものであり、
前記スライダへの供給電圧を制御して、該スライダを所定のアクセス位置に移動させるシーク時と該アクセス位置でデータのアクセスを行うアクセス時とで浮上量を変化させる浮上量制御部とを備えたことを特徴とする磁気ディスク装置。
【請求項５】
磁気ヘッド素子部が固定されたスライダを回転する磁気ディスク上に浮上させて所定のアクセス位置に移動させ該アクセス位置でデータのアクセスを行う磁気ディスク装置において、
前記スライダが、前記磁気ディスクの回転により発生する空気流に応じて浮上量を変化させるものであり、
前記磁気ディスクの回転速度を制御して、該スライダを所定のアクセス位置に移動させるシーク時と該アクセス位置でデータのアクセスを行うアクセス時とで浮上量を変化させる浮上量制御部とを備えたことを特徴とする磁気ディスク装置。
【発明の詳細な説明】
【技術分野】
【０００１】
本発明は、磁気ヘッド素子部が固定されたスライダを回転する磁気ディスク上に浮上させて所定のアクセス位置に移動させた後にアクセス位置でデータのアクセスを行う磁気ディスク装置に関する。
【背景技術】
【０００２】
近年、コンピュータの情報処理量の増大に伴い、磁気ディスク装置などに用いられる磁気記録媒体である磁気ディスクの大容量化が進んでいる。磁気ディスクの大容量化が進むにつれて、磁気ディスクにおけるデータ記録再生用トラックのトラック幅の狭小化が必要となる。
【０００３】
ところが、トラック幅の狭小化に伴い、データ記録の際に磁気ヘッドから発生する漏洩磁界によって、隣接するトラックへの記録（クロスライト）動作が行われてしまい、記録不良および再生不良が生じやすくなるという問題がある。
【０００４】
そこで、上記問題を解決するために、ディスクリートトラック型の磁気ディスクが提案されている。このディスクリートトラック型の磁気ディスクは、例えば、磁性膜を物理的に分離加工しトラックごとに分離することにより、隣接トラックへの記録（クロスライト）を防ぎ、高密度記録を実現するものである。
【０００５】
図１は、ディスクリートトラック型の磁気ディスクの断面図の一例を示した図である。
【０００６】
このディスクリートトラック型の磁気ディスク２０の構造は、軟磁性層２２、記録層２３の順に基板２１上に積層されたものである。ここで、記録層２３は、基板２１に垂直な方向に磁化容易軸を有するものである。また、記録層２３は、磁性体結晶２３１と非磁性体結晶２３２とが基板２１の面内半径方向に交互に密接して基板の中心のまわりに同心円状に形成されたものであり、主に外部磁界を受けて基板２１に垂直な方向に磁化方向が変化した磁区をトラックに記録するものである。
【０００７】
ここで、磁気ディスク上のデータ記録再生用トラックに磁気ヘッドを近接させてデータのリード／ライトを行う場合、磁気ヘッド素子部が固定されたスライダの浮上安定性が確保されていることが重要である。
【０００８】
そこで、データのリード／ライト時にスライダの浮上安定性を確保するために、スライダの浮上量を磁気ディスクの表面から所定の高さに保つ技術が提案されている（例えば、特許文献１、特許文献２、特許文献３、および特許文献４参照）。
【特許文献１】特開２００２−９２８１０号公報
【特許文献２】特開平６−２６７２１９号公報
【特許文献３】特開平３−９７１７５号公報
【特許文献４】特開平８−１０６７４９号公報
【発明の開示】
【発明が解決しようとする課題】
【０００９】
ところで、磁気ディスクの記録密度の高密度化の進展に伴い、高速なデータアクセスをするためには、データアクセスであるリード／ライト時のスライダの浮上量を１０ｎｍ程度以下に抑えることが望ましいと言われている。
【００１０】
ここで、リード／ライト時のスライダの浮上量を１０ｎｍ程度に抑えられたとしても、磁気ディスク上のデータ記録再生用トラックにデータを記録した後に、サスペンションを支持したアームが回動するシーク動作に移行すると以下の問題が生じる。
【００１１】
従来、磁気ディスクの記録層表面の平坦化処理を施した場合、記録層に用いられる磁性体材料と非磁性体材料の硬度の違いにより、数ｎｍ程度の凹凸面が磁気ディスクの記録層表面に発生することが知られている。この場合、スライダの浮上量が１０ｎｍ以下になると、回転する磁気ディスクの記録層表面の凹凸面から発生する空気流の動圧が、シーク時スライダの浮上安定性に及ぼす影響が無視できなくなる。そのため、スライダが磁気ディスクの表面に接触して磁気ヘッドの破損などのおそれが生じる。
【００１２】
したがって、データのシーク時にスライダの浮上安定性を保つことが重要となる。
【００１３】
ところが、上記特許文献に開示された技術では、スライダの浮上量が１０ｎｍ以下になるところまで想定しているかどうか不明だが、スライダの浮上量が１０ｎｍ以下だと、シーク時に上述した磁気ヘッドの破損などのおそれが生じる。
【００１４】
本発明は、上記事情に鑑み、スライダの浮上量が１０ｎｍ以下でもデータの記録再生を良好に行うとともに、データのシーク時にスライダの浮上安定性を確保する工夫が施された磁気ディスク装置を提供することを目的とする。
【課題を解決するための手段】
【００１５】
上記目的を達成する本発明の磁気ディスク装置のうちの第１の磁気ディスク装置は、
磁気ヘッド素子部が固定されたスライダを回転する磁気ディスク上に浮上させて所定のアクセス位置に移動させアクセス位置でデータのアクセスを行う磁気ディスク装置において、
上記スライダが、電圧の印加を受けて上記磁気ディスクに対向する浮上面の形状を変化させることにより浮上量を変化させる圧電素子からなり、
上記スライダへの印加電圧を制御して、そのスライダを所定のアクセス位置に移動させるシーク時とそのアクセス位置でデータのアクセスを行うアクセス時とで浮上量を変化させる浮上量制御部とを備えたことを特徴とする。
【００１６】
この第１の磁気ディスク装置では、浮上量制御部が電圧をスライダに印加して、そのスライダの浮上面の形状を変化させることで、シーク時にスライダの浮上量を高くし浮上安定性を確保することができる。したがって、スライダの浮上量が１０ｎｍ以下でも良好な記録再生が実現でき、かつ、シーク動作時の磁気ヘッドと磁気ディスクとの衝突の危険を大幅に解消することができる。
【００１７】
上記目的を達成する本発明の磁気ディスク装置のうちの第２の磁気ディスク装置は、
磁気ヘッド素子部が固定されたスライダを回転する磁気ディスク上に浮上させて所定のアクセス位置に移動させアクセス位置でデータのアクセスを行う磁気ディスク装置において、
上記スライダは、上記磁気ディスクに対向する浮上面に、上記磁気ディスクの回転によって生じる空気流の方向に延びるレールを有し、
上記レールが、電圧の印加を受けて形状が変化することにより浮上量を変化させる圧電素子からなり、
上記レールへの印加電圧を制御して、上記スライダを所定のアクセス位置に移動させるシーク時とそのアクセス位置でデータのアクセスを行うアクセス時とで浮上量を変化させる浮上量制御部とを備えたことを特徴とする。
【００１８】
この第２の磁気ディスク装置では、浮上量制御部が電圧をレールに印加してそのレールの形状を変化させることにより、スライダの浮上量を制御する。したがって、この第２の磁気ディスク装置では、シーク時に浮上量を高くし浮上安定性を確保することができる。      
【００１９】
その結果、スライダの浮上量が１０ｎｍ以下でも良好な記録再生が実現でき、かつ、シーク動作時の磁気ヘッドと磁気ディスクとの衝突の危険を大幅に解消することができる。
【００２０】
上記目的を達成する本発明の磁気ディスク装置のうちの第３の磁気ディスク装置は、
磁気ヘッド素子部が固定されたスライダを、回転する磁気ディスク上に浮上させて所定のアクセス位置に移動させアクセス位置でデータのアクセスを行う磁気ディスク装置において、
上記スライダが、サスペンションによって支持されたものであって、
上記サスペンションと上記スライダとの間に介在した支持部に印加する電圧に応じて該サスペンションがそのスライダを支持する荷重を調整することによりそのスライダの浮上量を変化させる浮上量制御部とを備えたことを特徴とする。
【００２１】
この第３の磁気ディスク装置では、印加電圧に応じてサスペンションがスライダを支持する荷重を調整することができるので、シーク時に浮上量を高くし浮上安定性を確保することができる。したがって、スライダの浮上量が１０ｎｍ以下でも良好な記録再生が実現でき、かつ、シーク動作時のスライダに固定された磁気ヘッドと磁気ディスクとの衝突の危険を大幅に解消することができる。
【００２２】
上記目的を達成する本発明の磁気ディスク装置のうちの第４の磁気ディスク装置は、
磁気ヘッド素子部が固定されたスライダを、回転する磁気ディスク上に浮上させて所定のアクセス位置に移動させ該アクセス位置でデータのアクセスを行う磁気ディスク装置において、
上記スライダが、熱膨張係数の異なる異種の材料の貼り合わせからなり、熱膨張で上記磁気ディスクの対向する面の形状を変化させることにより浮上量を変化させるものであり、
上記スライダへの供給電圧を制御して、スライダを所定のアクセス位置に移動させるシーク時とアクセス位置でデータのアクセスを行うアクセス時とで浮上量を変化させる浮上制御部とを備えたことを特徴とする。
【００２３】
この第４の磁気ディスク装置では、浮上量制御部が熱膨張係数の異なる異種の材料の貼りあわせからなるスライダに電圧を印加して、そのスライダの浮上面の形状を熱膨張により変化させることで、シーク時にスライダの浮上量を高くし浮上安定性を確保することができる。したがって、スライダの浮上量が１０ｎｍ以下でも良好な記録再生が実現でき、かつ、シーク動作時の磁気ヘッドと磁気ディスクとの衝突の危険を大幅に解消することができる。
【００２４】
上記目的を達成する本発明の磁気ディスク装置のうちの第５の磁気ディスク装置は、
磁気ヘッド素子部が固定されたスライダを回転する磁気ディスク上に浮上させて所定のアクセス位置に移動させ、そのアクセス位置でデータのアクセスを行う磁気ディスク装置において、
上記スライダが、磁気ディスクの回転により発生する空気流に応じて浮上量を変化させるものであり、
その磁気ディスクの回転速度を制御して、スライダを所定のアクセス位置に移動させるシーク時とアクセス位置でデータのアクセスを行うアクセス時とで浮上量を変化させる浮上量制御部とを備えたことを特徴とする。
【００２５】
この第５の磁気ディスク装置では、浮上量制御部が磁気ディスクの回転を変化させることにより発生する空気流に応じてスライダの浮上量が変化する。したがって、シーク時において、スライダの浮上安定性を確保することができる。また、スライダの浮上量が１０ｎｍ以下でも良好な記録再生が実現できるとともに、シーク動作時の磁気ヘッドと磁気ディスクとの衝突の危険を大幅に解消することができる。
【発明の効果】
【００２６】
以上、説明したように、スライダの浮上量が１０ｎｍ以下でもデータの記録再生を良好に行うとともに、データのシーク時にスライダの浮上安定性を確保する工夫が施された磁気ディスク装置を提供することができる。
【発明を実施するための最良の形態】
【００２７】
以下、本発明の実施形態について説明する。
【００２８】
図２は、第１の磁気ディスク装置の一実施形態である磁気ディスク装置のスライダの側面図である。
【００２９】
図２（ａ）は、スライダに電圧を印加する前のスライダの側面図であり、図２（ｂ）は、スライダに電圧を印加した後のスライダの側面図である。
【００３０】
このスライダ７は圧電素子からなるものであり、このスライダ７が、電圧の印加を受けて磁気ディスクに対向する浮上面９の形状を変化させるものである。また、このスライダ７の先端部には、磁気ヘッド素子部８が備えられている。磁気ヘッド素子部８については、後で説明する。
【００３１】
次に、第１の磁気ディスク装置の一実施形態である磁気ディスク装置の内部構成を説明する。
【００３２】
図３は、コンピュータに接続された第１の磁気ディスク装置の一実施形態である磁気ディスク装置の内部構成を示す図である。
【００３３】
第１の磁気ディスク装置の一実施形態である磁気ディスク装置１００には、磁気ディスク１にデータをアクセスするための制御部３０が備えられている。この制御部３０には、インターフェース部３００、シーク制御部３０１、ボイスコイルモータ３０２、圧電素子制御部３０３、およびスピンドルモータ駆動部３０４が備えられている。このインターフェース部３００は、コンピュータ２００とシーク制御部３０１との間におけるデータや信号などを仲介するものである。シーク制御部３０１は、後述するボイスコイルモータ３０２および圧電素子制御部３０３を制御するものである。ボイスコイルモータ３０２は、スライダを先端に支持したアームを磁気ディスクの半径方向に回動させるものである。圧電素子制御部３０３は、シーク制御部３０１からの指示を受けてスライダ７への印加電圧を制御することにより、スライダ７を所定のアクセス位置に移動させるシーク時とアクセス位置でデータのアクセスを行うアクセス時とで浮上量を変化させるものであり、本発明の浮上量制御部に相当する。スピンドルモータ駆動部３０４は、磁気ディスク１を回転させるスピンドルモータのスピンドル軸２ａの回転速度を変化させるものものである。
【００３４】
図４は、第１の磁気ディスク装置の一実施形態である磁気ディスク装置の上面図である。
【００３５】
この磁気ディスク１００には、上述の通り、磁気ディスク１を回転駆動するためのスピンドルモータ２が、磁気ディスク装置１００の構成部品を支持するベースプレート３に装着されている。
【００３６】
この磁気ディスク装置１００には、磁気ディスク１の表面に近接するためのアーム４がアーム軸５に回動自在に取り付けられており、アーム駆動装置６によって駆動される。
【００３７】
このアーム４の先端には、磁気ヘッド素子部８が固定されたスライダ７が設けられている。この磁気ヘッド素子部８には、単磁極型書き込み素子とＧＭＲ（Ｇｉａｎｔ  Ｍａｇｎｅｔ−Ｒｅｓｉｓｔｉｖｅ）読み込み素子とが備えられている（不図示）。この磁気ヘッド素子部８の単磁極型書き込み素子は、情報記録時に磁気記録媒体に記録するデータに応じた磁界を印加して、磁気ディスク１の基板面に垂直な方向に磁化を有する磁区を記録層（不図示）に記録する。
【００３８】
一方、磁気ヘッド７のＧＭＲ読み込み素子は、磁気ディスク１からの漏洩磁界の変化を検出して磁気ディスク１に記録されている情報を再生する。この磁気ディスク装置１００は、磁気ディスク１に記録するデータを符号化して磁気ヘッド素子部８の単磁極型書き込み素子に記録信号を送信する。また、この磁気ディスク装置１００は、磁気ヘッド素子部８のＧＭＲ読み込み素子により検出された磁気ディスク１からの再生信号を復号する。
【００３９】
次に、第１の磁気ディスク装置の一実施形態である磁気ディスク装置の動作を説明する。
【００４０】
再び図３に戻って説明する。
【００４１】
先ず、制御部３０内のインターフェース部３００が、コンピュータ２００から磁気ディスク１のデータをアクセスするための信号を受信することにより、スピンドルモータ駆動部３０４は、スピンドルモータ２を所定の回転速度で回転させる。磁気ディスク１は、スピンドルモータの回転に伴って、所定の回転速度で回転する。
【００４２】
続いて、シーク制御部３０１は、ボイスコイルモータ３０２に電流を流すことにより、図４に示すアーム駆動装置６がアーム軸５を介してアーム４を回動させる。
【００４３】
一方、シーク制御部３０１は、圧電素子制御部３０３に指示を出すと、この圧電素子制御部３０３は、スライダ７への印加電圧を制御して、磁気ディスク１に対向する浮上面９の形状を変化させて、スライダの浮上量を高め、シーク時に磁気ディスク１にスライダの浮上面が接触しないようにする。また、所定のアクセス位置でデータのアクセスを行う時には、この浮上量制御部３０３は、スライダ７への印加電圧を制御して、浮上面９の形状を変化させて、データのアクセスが良好になされるように浮上量をシーク時の浮上量より低めにして、上述した通り、磁気ヘッド素子部８の単磁極型書き込み素子が記録層にデータを記録したり、あるいは、磁気ヘッド７のＧＭＲ読み込み素子が磁気ディスク１に記録されている情報を再生する。データアクセス時には、スライダの浮上量が１０ｎｍ以下であっても、シーク時には、アームの先端で支持されたスライダ７は浮上安定性が得られる高さに上昇する。したがって、シーク時にスライダ７が磁気ディスク１と接触するおそれを回避することができる。
【００４４】
データのアクセスの後に、この圧電素子制御部３０３は、スライダ７への印加電圧を制御して、磁気ディスク１に対向する浮上面９の形状を変化させて、スライダの浮上量を所定の高さに保つ。続いて、シーク制御部３０１が、他のアクセス位置にアーム４を回動させたり、磁気ディスク１からアームを所定位置に退避させたりする。
【００４５】
第１の磁気ディスク装置の一実施形態である磁気ディスク装置によれば、データのシーク時にスライダの浮上安定性を確保することができる。したがって、スライダの浮上量が１０ｎｍ以下でもデータの記録再生を良好に行うことができ、かつ、シーク動作時の磁気ヘッドと磁気ディスクとの衝突の危険を大幅に解消することができる。
【００４６】
以上で、第１の磁気ディスク装置の一実施形態である磁気ディスク装置の説明を終了し、次に、第２の磁気ディスク装置の一実施形態である磁気ディスク装置の説明を行う。なお、第１の磁気ディスク装置の一実施形態である磁気ディスク装置と第２の磁気ディスク装置の一実施形態である磁気ディスク装置とでは、内部構成が一部異なるが、それ以外は同様の構成を有するため、同じ要素については説明を省略し、主に相違点について説明する。
【００４７】
図５は、第２の磁気ディスク装置の一実施形態である磁気ディスク装置に採用されたスライダの底面図である。
【００４８】
図５（ａ）は、スライダに電圧を印加する前のスライダの底面図であり、図５（ｂ）は、スライダに電圧を印加した後のスライダの底面図である。
【００４９】
図６は、第２の磁気ディスク装置の一実施形態である磁気ディスク装置に採用されたスライダの側面図である。
【００５０】
このスライダ４０には、浮上面４２に、磁気ディスクの回転によって生じる空気流の方向に延びるレール４１２ａおよび４１２ｂを有している。このレール４１２ａおよび４１２ｂは、電圧の印加を受けて形状が変化する圧電素子からなるものである。また、このスライダ４０の流出端には、磁気ヘッド素子部４１が備えられている。
【００５１】
次に、第２の磁気ディスク装置の一実施形態である磁気ディスク装置１０１の動作について説明する。
【００５２】
図７は、コンピュータに接続された第２の磁気ディスク装置の一実施形態である磁気ディスク装置の内部構成を示す図である。
【００５３】
第２の磁気ディスク装置の一実施形態である磁気ディスク装置１０１も第１の磁気ディスク装置の一実施形態である磁気ディスク装置１００と同様に、シーク制御部３０１は、ボイスコイルモータ３０２に電流を流すことにより、図４に示すアーム駆動装置６がスライダ７に替わるスライダ４０を搭載したアーム４を回動させる。なお、図４に示す磁気ディスク装置１００と磁気ディスク装置１０１との差異は、スライダの部分のみなので、図４を兼用して以下説明する。
【００５４】
圧電素子制御部３０３は、レール４１２ａおよび４１２ｂへの印加電圧を制御して、スライダ４０を所定のアクセス位置に移動させるシーク時とアクセス位置でデータのアクセスを行うアクセス時とで浮上量を変化させるものであり、本発明の浮上量制御部に相当するものである。
【００５５】
シーク時には、圧電素子制御部３０３がレール４１２ａおよび４１２ｂに数ボルト〜１０ボルトの電圧を印加して、図５（ａ）に示すアクセス時のレール幅よりも７μｍ程度厚くする（図５（ｂ））。この程度のレール幅の違いによって、スライダ４０は、磁気ディスク１の回転によって生じる空気流の動圧の受けかたが変化するため、スライダ４０の浮上量はデータアクセス時に比べて高くなる。したがって、データアクセス時には、スライダの浮上量が１０ｎｍ以下であっても、シーク時には、アームの先端で支持されたスライダ４０は浮上安定性が得られる高さに上昇するので、シーク時にスライダ４０が磁気ディスク１と接触するおそれを回避することができる。なお、図５においては、説明をわかりやすくするため、レール幅の差を明示的に描いている。
【００５６】
以上より、第２の磁気ディスク装置の一実施形態である磁気ディスク装置１０１によれば、スライダの浮上量が１０ｎｍ以下でもデータの記録再生を良好に行うとともに、データのシーク時にスライダの浮上安定性を確保することができる。
【００５７】
次に、第３の磁気ディスク装置の一実施形態である磁気ディスク装置の説明をする。
【００５８】
図８は、第３の磁気ディスク装置の一実施形態である磁気ディスク装置に採用されたアームの先端に支持されたスライダの側面図である。
【００５９】
スライダ５２は流出端に磁気ヘッド素子部５３を有しており、スライダ５２の上部には、板バネからなるジンバル５１２、このジンバルを弾性的に支持するピボット５１３、および、ジンバルを支持するロードビーム５１１が設けられている。このロードビーム５１１は、スライダ５２の浮上力と釣り合う一定の荷重を発生するばねのような働きをするものである。なお、このロードビームとジンバルとの構造体をサスペンションと称する。図８に示すサスペンション５１がアーム（不図示）によって支持されている。上記ピボット５１３は、電圧の印加を受けて伸縮する圧電素子からなり、このピボット５１３が伸縮することで磁気ディスクに対向するスライダへの荷重を変化させることによりスライダ５２の浮上量を変化させる。
【００６０】
次に、第３の磁気ディスク装置の一実施形態である磁気ディスク装置の動作について説明する。
【００６１】
図９は、コンピュータに接続された第３の磁気ディスク装置の一実施形態である磁気ディスク装置の内部構成を示す図である。
【００６２】
第３の磁気ディスク装置の一実施形態である磁気ディスク装置１０２には、圧電素子制御部３０３が設けれれている。この圧電素子制御部３０３は、サスペンション５１とスライダ５２との間に介在し、印加電圧に応じてサスペンション５１がスライダ５２を支持する荷重を調整することによりスライダ５２の浮上量を変化させるものであり、本発明における浮上量制御部に相当する。その他の制御部３０の内部構成は、第１の磁気ディスク装置の一実施形態である磁気ディスク装置１０１と同様である。シーク制御部３０１は、ボイスコイルモータ３０２に電流を流すことにより、図６に示すスライダ５２を搭載したアームが回動する。
【００６３】
ここで、サスペンション５１を支持するアームが図４に示したアームに取って替わって装着されている。なお、図４に示す磁気ディスク装置１００と磁気ディスク装置１０２との差異は、スライダおよびアームの部分のみなので、図４を兼用して以下説明する。
【００６４】
シーク時には、圧電素子制御部３０３は、ピボット５１３への印加電圧を制御して、サスペンション５１がスライダ５２を支持する荷重を調整する。
【００６５】
このときの荷重の違いによって、磁気ディスク１の回転によって生じる空気流を受けて発生する、スライダ５２の浮上力に変化が生じる。所定の荷重にすることで、スライダ５２の浮上量はデータアクセス時に比べて高くなる。したがって、アームが回動する際にスライダ５２に搭載されている磁気ヘッド素子部５３が磁気ディスク１と接触するおそれは大幅に解消することができる。
【００６６】
また、圧電素子制御部３０３は、ピボット５１３への印加電圧を制御して、サスペンション５１がスライダ５２を支持する荷重を調整することで、データのアクセスが良好になされる浮上量に保つことができ、上述した通り、磁気ヘッド素子部５３の単磁極型書き込み素子が記録層にデータを記録したり、あるいは、磁気ヘッド７のＧＭＲ読み込み素子が磁気ディスク１に記録されている情報を再生する。
【００６７】
したがって、データアクセス時には、スライダの浮上量が１０ｎｍ以下であっても、シーク時には、スライダ５２は浮上安定性が得られる高さにまで上昇可能であるので、シーク時にスライダ５２が磁気ディスク１と接触するおそれを回避することができる。
【００６８】
以上より、第３の磁気ディスク装置の一実施形態である磁気ディスク装置によれば、スライダの浮上量が１０ｎｍ以下でもデータの記録再生を良好に行うとともに、データのシーク時にスライダの浮上安定性を確保することができる。
【００６９】
次に、第４の磁気ディスク装置の一実施形態である磁気ディスク装置の説明をする。
【００７０】
図１０は、第４の磁気ディスク装置の一実施形態である磁気ディスク装置に採用されたスライダの側面図である。
【００７１】
図１０（ａ）は、スライダに電圧を印加する前のスライダの側面図であり、図１０（ｂ）は、スライダに電圧を印加した後のスライダの側面図である。
【００７２】
スライダ６１は、熱膨張係数の異なる材料６１１および６１２の貼りあわせからなるものである。スライダ６１の流出端には、磁気ヘッド素子部６２が設けられている。
【００７３】
このスライダ６１は、熱膨張で磁気ディスクの対向する面の形状を変化させることにより浮上量を変化させるものである。
【００７４】
次に、第４の磁気ディスク装置の一実施形態である磁気ディスク装置におけるスライダ６１の動作について説明をする。
【００７５】
図１１は、コンピュータに接続された第４の磁気ディスク装置の一実施形態である磁気ディスク装置の内部構成を示す図である。
【００７６】
第４の磁気ディスク装置の一実施形態である磁気ディスク装置１０３の制御部３０には、
上述した圧電素子制御部３０３の替わりに熱変形素子制御部３０５が設けられている。この熱変形素子制御部３０５がスライダ６１に電圧を印加することにより、材料６１１および６１２が各々熱膨張を引き起こす。その結果、磁気ディスクの対向する面の形状が変化するため、浮上量も変化する。
【００７７】
なお、図４に示す磁気ディスク装置１００と磁気ディスク装置１０３では、図面の構成において、このスライダ６１を図４に示すスライダ７に替えて取り付けたものであるので、図４を兼用して以下説明する。
【００７８】
この第４の磁気ディスク装置１０３では、熱変形素子制御部３０５がスライダ６１への印加電圧を制御してスライダ６１を所定のアクセス位置に移動させるシーク時とアクセス位置でデータのアクセスを行うアクセス時とで浮上量を変化させることができる。
【００７９】
すなわち、シーク時には、スライダ６１の材料６１１および６１２が各々熱膨張を引き起こす。その結果、スライダ６１は回転している磁気ディスク１から発生する浮上圧を受けて、スライダ６１は、データアクセス時に比べて上昇することができる。
【００８０】
したがって、データアクセス時には、スライダの浮上量が１０ｎｍ以下であっても、シーク時には、スライダ６１は浮上安定性が得られる高さにまで上昇し、シーク時にスライダ６１が磁気ディスク１と接触するおそれを回避することができる。
【００８１】
以上より、第４の磁気ディスク装置の一実施形態である磁気ディスク装置によれば、スライダの浮上量が１０ｎｍ以下でもデータの記録再生を良好に行うとともに、データのシーク時にスライダの浮上安定性を確保することができる。
【００８２】
次に、第５の磁気ディスク装置の一実施形態である磁気ディスク装置の説明をする。
【００８３】
図１２は、第５の磁気ディスク装置の一実施形態である磁気ディスク装置に採用されたスライダを搭載したアームおよび磁気ディスクの側面図である。
【００８４】
磁気ヘッド素子部７２を流出端に有するスライダ７１がアーム７０に支持されており、磁気ディスク１の回転により発生する空気流に応じて浮上量を変化するものである。
【００８５】
図１３は、コンピュータに接続された第５の磁気ディスク装置の一実施形態である磁気ディスク装置の内部構成を示す図である。
【００８６】
磁気ディスク装置１０４には、スピンドルモータ制御部３０６が設けられている。このスピンドルモータ制御部３０６は、磁気ディスクの回転速度を制御して、スライダ７１を所定のアクセス位置に移動させるシーク時とアクセス位置でデータのアクセスを行うアクセス時とで浮上量を変化させるものであり、本発明の浮上量制御部に相当する。磁気ディスク装置１０４は、上述した磁気ディスク装置と比較して、直接スライダを制御するのでなく、間接的にスライダの浮上量を制御する構成になっている。
【００８７】
なお、図４に示す磁気ディスク装置１００と磁気ディスク装置１０４では、図面の構成において、このスライダ７１およびアーム７０を図４に示すスライダ７およびアーム４に替えて取り付けたものであるので、図４を兼用して以下説明する。
【００８８】
このスライダ７１は、磁気ディスク１の回転により発生する空気流の動圧に応じて浮上量が変化するものであり、所定のアクセス位置に移動させるシーク時とアクセス位置でデータのアクセスを行うアクセス時とで浮上量を変化させることができる。
【００８９】
したがって、データアクセス時には、スライダの浮上量が１０ｎｍ以下であっても、シーク時には、スライダ７１は浮上安定性が得られる高さにまで上昇可能であるので、シーク時にスライダ７１が磁気ディスク１と接触するおそれを回避することができる。
【００９０】
第５の磁気ディスク装置の一実施形態である磁気ディスク装置によれば、スライダの浮上量が１０ｎｍ以下でもデータの記録再生が良好に実現でき、かつ、シーク時のスライダの浮上安定性を確保することができる。
【００９１】
以上説明したように、本発明によれば、スライダの浮上量が１０ｎｍ以下でもデータの記録再生を良好に行うとともに、データのシーク時にスライダの浮上安定性を確保工夫が施された磁気ディスク装置を提供することができる。
【図面の簡単な説明】
【００９２】
【図１】ディスクリートトラック型の磁気ディスクの断面図の一例を示した図である。
【図２】第１の磁気ディスク装置の一実施形態である磁気ディスク装置に採用されたスライダの側面図である。
【図３】コンピュータに接続された第１の磁気ディスク装置の一実施形態である磁気ディスク装置の内部構成を示す図である。
【図４】第１の磁気ディスク装置の一実施形態である磁気ディスク装置の上面図である。
【図５】第２の磁気ディスク装置の一実施形態である磁気ディスク装置に採用されたスライダの底面図である。
【図６】第２の磁気ディスク装置の一実施形態である磁気ディスク装置に採用されたスライダの側面図である。
【図７】コンピュータに接続された第２の磁気ディスク装置の一実施形態である磁気ディスク装置の内部構成を示す図である。
【図８】第３の磁気ディスク装置の一実施形態である磁気ディスク装置に採用されたアームの先端に支持されたスライダの側面図である。
【図９】コンピュータに接続された第３の磁気ディスク装置の一実施形態である磁気ディスク装置の内部構成を示す図である。
【図１０】第４の磁気ディスク装置の一実施形態である磁気ディスク装置に採用されたスライダの側面図である。
【図１１】コンピュータに接続された第４の磁気ディスク装置の一実施形態である磁気ディスク装置の内部構成を示す図である。
【図１２】第５の磁気ディスク装置の一実施形態である磁気ディスク装置に採用されたスライダを搭載したアームおよび磁気ディスクの側面図である。
【図１３】コンピュータに接続された第５の磁気ディスク装置の一実施形態である磁気ディスク装置の内部構成を示す図である。
【符号の説明】
【００９３】
１、２０  磁気記録媒体
２  スピンドルモータ
２ａ  スピンドル軸
３  ベースプレート
４、７０  アーム
５  アーム軸
６  アーム駆動装置
７、４０、５２、６１、７１  スライダ
８、４１、５３、６２、７２  磁気ヘッド素子部
９、４２  浮上面
３０  制御部
５１  サスペンション
１００、１０１、１０２、１０３、１０４  磁気ディスク装置
２００  コンピュータ
３００  インターフェース部
３０１  シーク制御部
３０２  ボイスコイルモータ
３０３  圧電素子制御部
３０４  スピンドルモータ駆動部
３０５  熱変形素子制御部
３０６  スピンドルモータ制御部
４１２ａ、４１２ｂ  レール
５１１  ロードビーム
５１２  ジンバル
５１３  ピボット
６１１、６１２  材料
【図１】
2007213626.tif 000003
【図２】
2007213626.tif 000004
【図３】
2007213626.tif 000005
【図４】
2007213626.tif 000006
【図５】
2007213626.tif 000007
【図６】
2007213626.tif 000008
【図７】
2007213626.tif 000009
【図８】
2007213626.tif 000010
【図９】
2007213626.tif 000011
【図１０】
2007213626.tif 000012
【図１１】
2007213626.tif 000013
【図１２】
2007213626.tif 000014
【図１３】
2007213626.tif 000015